(57)【要約】【課題】折りたためる直方体状の収納箱の骨組みを提供する。【解決手段】支柱で形成された四角形状の側壁と底壁の枠組みを作り、隣り合う側壁を突起を使用して取り付け、底壁の枠組みの支柱を側壁の支柱に取り付ける。【選択図】  図１
2004217301.tif 000002
【特許請求の範囲】
【請求項１】
下記の要件を備えて成ることを特徴とする、折りたためる直方体状の収納箱の骨組み。
（イ）真っ直ぐな支柱１０ｅ、１０ｆ、１０ｇ、１０ｈで形成された側壁の四角形状の枠組み１を作る。
（ロ）支柱１０ｅの上先端部に突起２ａを、下部に突起２ｃを、支柱１０ｆの上先端部に突起２ｂを、下部に突起２ｄを、それぞれ同一方向に、枠組み１と垂直になるように設ける。
（ハ）支柱１０ｈに突起２０を、突起２ａ、２ｂ、２ｃ、２ｄと同一方向に、枠組み１と垂直になるように２以上設ける。
（ニ）枠組み１の支柱１０ｅ、１０ｆ、１０ｇ、１０ｈとそれぞれ同形の支柱１１ｅ、１１ｆ、１１ｇ、１１ｈで形成された側壁の枠組み２を作る。
（ホ）支柱１１ｅの上先端部に突起４ａを、下部に突起４ｃを、支柱１１ｆの上先端部に突起４ｂを、下部に突起４ｄを、それぞれ同一方向に、枠組み２と垂直になるように設ける。
（ヘ）支柱１１ｈに筒２１を、突起４ａ、４ｂ、４ｃ、４ｄと同一方向に、枠組み２と垂直になるように、かつ、筒２１の空洞が支柱１１ｈと平行になるように２以上設ける。
（ト）真っ直ぐな支柱１２ｅ、１２ｆ、１２ｇと、両端部が同形に曲げられた以外は真っ直ぐな支柱１２ｈで形成された側壁の四角形状の枠組み３を作る。
（チ）支柱１０ｅ、１０ｆ、１１ｅ、１１ｆ、１２ｅ、１２ｆ、１３ｅ、１３ｆは、同じ長さとする。
（リ）支柱１２ｈの両端部を、支柱１２ｈの真っ直ぐな部分の底辺が、支柱１２ｅの下先端と支柱１２ｆの下先端を結ぶ線上に位置するように、支柱１２ｅの下部と支柱１２ｆの下部に取り付ける。
（ヌ）支柱１２ｇを、支柱１２ｅの上先端部と支柱１２ｆの上先端部から等距離にある上部に取り付ける。
（ル）枠組み３の支柱１２ｅ、１２ｆ、１２ｇ、１２ｈと同形の支柱１３ｅ、１３ｆ、１３ｇ、１３ｈで形成された、枠組み３と同形の側壁の枠組み４を作る。
（ヲ）枠組み１と枠組み２を、突起２ａ、２ｂ、２ｃ、２ｄと突起４ａ、４ｂ、４ｃ、４ｄがそれぞれ向かい合うように位置させる。
（ワ）枠組み３と枠組み４を向かい合うように位置させる。
（カ）支柱１２ｅの上先端を突起２ａに下部を突起２ｃに、それぞれ回転できるように取り付ける。
（ヨ）支柱１２ｆの上先端を突起４ａに下部を突起４ｃに、それぞれ回転できるように取り付ける。
（タ）支柱１３ｅの上先端を突起２ｂに下部を突起２ｄに、それぞれ回転できるように取り付ける。
（レ）支柱１３ｆの上先端を突起４ｂに下部を突起４ｄに、それぞれ回転できるように取り付ける。
（ソ）真っ直ぐな支柱１４ａ、１４ｂ、１４ｃ、１４ｄで底壁の四角形状の枠組みを作る。
（ツ）支柱１４ｂ、１４ｄの長さは、支柱１１ｈより短くし、支柱１４ａ、１４ｃの長さは、支柱１２ｇより長くする。
（ネ）支柱１４ｂを筒２１に通し、支柱１４ｄを突起２０に乗せる。
【発明の詳細な説明】
【０００１】
【発明の属する技術分野】
この発明は、折りたためる直方体状の収納箱の骨組みに関するものである。
【０００２】
【従来の技術】
従来、折りたためる直方体状の収納箱の例としてダンボール箱などがある。
【０００３】
【発明が解決しようとする課題】
ダンボール箱では装飾的に劣るという欠点がある。
本発明は、以上の欠点を解決するためになされたものである。
【０００４】
【課題を解決するための手段】
以上の欠点を解決するため、下記の要件を備えて成ることを特徴とする、折りたためる直方体状の収納箱の骨組みを考えた。
ただし、ここでは、上蓋が無くて、四角形状の側壁が４と四角形状の底壁が１の直方体状の収納箱について説明する。
（イ）真っ直ぐな支柱１０ｅ、１０ｆ、１０ｇ、１０ｈで形成された側壁の四角形状の枠組み１を作る。
（ロ）支柱１０ｅの上先端部に突起２ａを、下部に突起２ｃを、支柱１０ｆの上先端部に突起２ｂを、下部に突起２ｄを、それぞれ同一方向に、枠組み１と垂直になるように設ける。
（ハ）支柱１０ｈに突起２０を、突起２ａ、２ｂ、２ｃ、２ｄと同一方向に、枠組み１と垂直になるように２以上設ける。
（ニ）枠組み１の支柱１０ｅ、１０ｆ、１０ｇ、１０ｈとそれぞれ同形の支柱１１ｅ、１１ｆ、１１ｇ、１１ｈで形成された側壁の枠組み２を作る。
（ホ）支柱１１ｅの上先端部に突起４ａを、下部に突起４ｃを、支柱１１ｆの上先端部に突起４ｂを、下部に突起４ｄを、それぞれ同一方向に、枠組み２と垂直になるように設ける。
（ヘ）支柱１１ｈに筒２１を、突起４ａ、４ｂ、４ｃ、４ｄと同一方向に、枠組み２と垂直になるように、かつ、筒２１の空洞が支柱１１ｈと平行になるように２以上設ける。
（ト）真っ直ぐな支柱１２ｅ、１２ｆ、１２ｇと、両端部が同形に曲げられた以外は真っ直ぐな支柱１２ｈで形成された側壁の四角形状の枠組み３を作る。
（チ）支柱１０ｅ、１０ｆ、１１ｅ、１１ｆ、１２ｅ、１２ｆ、１３ｅ、１３ｆは、同じ長さとする。
（リ）支柱１２ｈの両端部を、支柱１２ｈの真っ直ぐな部分の底辺が、支柱１２ｅの下先端と支柱１２ｆの下先端を結ぶ線上に位置するように、支柱１２ｅの下部と支柱１２ｆの下部に取り付ける。
（ヌ）支柱１２ｇを、支柱１２ｅの上先端部と支柱１２ｆの上先端部から等距離にある上部に取り付ける。
（ル）枠組み３の支柱１２ｅ、１２ｆ、１２ｇ、１２ｈと同形の支柱１３ｅ、１３ｆ、１３ｇ、１３ｈで形成された、枠組み３と同形の側壁の枠組み４を作る。
（ヲ）枠組み１と枠組み２を、突起２ａ、２ｂ、２ｃ、２ｄと突起４ａ、４ｂ、４ｃ、４ｄがそれぞれ向かい合うように位置させる。
（ワ）枠組み３と枠組み４を向かい合うように位置させる。
（カ）支柱１２ｅの上先端を突起２ａに下部を突起２ｃに、それぞれ回転できるように取り付ける。
（ヨ）支柱１２ｆの上先端を突起４ａに下部を突起４ｃに、それぞれ回転できるように取り付ける。
（タ）支柱１３ｅの上先端を突起２ｂに下部を突起２ｄに、それぞれ回転できるように取り付ける。
（レ）支柱１３ｆの上先端を突起４ｂに下部を突起４ｄに、それぞれ回転できるように取り付ける。
（ソ）真っ直ぐな支柱１４ａ、１４ｂ、１４ｃ、１４ｄで底壁の四角形状の枠組みを作る。
（ツ）支柱１４ｂ、１４ｄの長さは、支柱１１ｈより短くし、支柱１４ａ、１４ｃの長さは、支柱１２ｇより長くする。
（ネ）支柱１４ｂを筒２１に通し、支柱１４ｄを突起２０に乗せる。
本発明は以上のような構成になっている。
【０００５】
【発明の実施の形態】
以下、本発明の実施の形態を説明する。
（イ）金属製の真っ直ぐな支柱１０ｅ、１０ｆ、１０ｇ、１０ｈで形成された側壁の四角形状の枠組み１を作る。
（ロ）支柱１０ｅの上先端部に金属製の突起２ａを、下部に金属製の突起２ｃを、支柱１０ｆの上先端部に金属製の突起２ｂを、下部に金属製の突起２ｄを、それぞれ同一方向に、枠組み１と垂直になるように溶接して設ける。
（ハ）支柱１０ｈに金属製の突起２０を、突起２ａ、２ｂ、２ｃ、２ｄと同一方向に、枠組み１と垂直になるように２以上溶接して設ける。
（ニ）枠組み１の支柱１０ｅ、１０ｆ、１０ｇ、１０ｈとそれぞれ同形の金属製の支柱１１ｅ、１１ｆ、１１ｇ、１１ｈで形成された側壁の枠組み２を作る。
（ホ）支柱１１ｅの上先端部に金属製の突起４ａを、下部に金属製の突起４ｃを、支柱１１ｆの上先端部に金属製の突起４ｂを、下部に金属製の突起４ｄを、それぞれ同一方向に、枠組み２と垂直になるように溶接して設ける。
（ヘ）支柱１１ｈに金属製の筒２１を、突起４ａ、４ｂ、４ｃ、４ｄと同一方向に、枠組み２と垂直になるように、かつ、筒２１の空洞が支柱１１ｈと平行になるように２以上溶接して設ける。
（ト）金属製の真っ直ぐな支柱１２ｅ、１２ｆ、１２ｇと、両端部が同形に曲げられた以外は真っ直ぐな金属製の支柱１２ｈで形成された側壁の四角形状の枠組み３を作る。
（チ）支柱１０ｅ、１０ｆ、１１ｅ、１１ｆ、１２ｅ、１２ｆ、１３ｅ、１３ｆは、同じ長さとする。
（リ）支柱１２ｈの両端部を、支柱１２ｈの真っ直ぐな部分の底辺が、支柱１２ｅの下先端と支柱１２ｆの下先端を結ぶ線上に位置するように、支柱１２ｅの下部と支柱１２ｆの下部に溶接して取り付ける。
（ヌ）支柱１２ｇを、支柱１２ｅの上先端部と支柱１２ｆの上先端部から等距離にある上部に溶接して取り付ける。
（ル）枠組み３の支柱１２ｅ、１２ｆ、１２ｇ、１２ｈと同形の支柱１３ｅ、１３ｆ、１３ｇ、１３ｈで形成された、枠組み３と同形の金属製の側壁の枠組み４を作る。
（ヲ）枠組み１と枠組み２を、突起２ａ、２ｂ、２ｃ、２ｄと突起４ａ、４ｂ、４ｃ、４ｄがそれぞれ向かい合うように位置させる。
（ワ）枠組み３と枠組み４を向かい合うように位置させる。
（カ）支柱１２ｅの下先部を突起２ｃの先端部に設けた孔１ｃに挿入し、雌ネジ部５ａを設けた支柱１２ｅの上先端を、突起２ａの先端部に設けた孔１ａに合わせて雄ネジでとめ、支柱１２ｅが回転できるように取り付ける。
（ヨ）支柱１２ｆの下先部を突起４ｃの先端部に設けた孔３ｃに挿入し、雌ネジ部５ｂを設けた支柱１２ｆの上先端を、突起４ａの先端部に設けた孔３ａに合わせて雄ネジでとめ、支柱１２ｆが回転できるように取り付ける。
（タ）支柱１３ｅの下先部を突起２ｄの先端部に設けた孔１ｄに挿入し、雌ネジ部６ａを設けた支柱１３ｅの上先端を、突起２ｂの先端部に設けた孔１ｂに合わせて雄ネジでとめ、支柱１３ｅが回転できるように取り付ける。
（レ）支柱１３ｆの下先部を突起４ｄの先端部に設けた孔３ｄに挿入し、雌ネジ部６ｂを設けた支柱１３ｆの上先端を、突起４ｂの先端部に設けた孔３ｂに合わせて雄ネジでとめ、支柱１３ｆが回転できるように取り付ける。
（ソ）金属製の真っ直ぐな支柱１４ｂを筒２１に通してから、真っ直ぐな支柱１４ａ、１４ｂ、１４ｃ、１４ｄを溶接して、底壁の四角形状の枠組みを作る。
（ツ）支柱１４ｂ、１４ｄの長さは、支柱１１ｈより短くし、支柱１４ａ、１４ｃの長さは、支柱１２ｇより長くする。
（ネ）支柱１４ｄを突起２０に乗せる。
以上が、本発明の実施の形態であるが、工程としては、上記（ソ）を上記（ル）の後、つまり、枠組み１、２、３、４を作った後に行うとよい。
【０００６】
【実施例】
準備段階として、天然素材の葦などで本発明の各支柱を編み込んで側壁と底壁を作ってから、次のようにして本発明を使用する。
ここでは、本発明が、折りたたまれていない状態から折りたたまれた状態になる過程を説明する。
工程１．底壁を収納箱の外側から内側に押して、枠組み２に合わせる。
工程２．支柱１０ｅと、それと対角線上に位置する支柱１１ｆを収納箱の内側に向けて押し込む。こうすると、側壁は平行四辺形状になり、折りたためる。
【０００７】
【発明の効果】
本発明を使用することによって、次のような効果を生む。
（イ）天然素材の葦などで各支柱を編み込んでも、支柱１０ｅと支柱１２ｅの例のように、支柱と支柱との隙間が広いため、巻かれた葦などが互いにぶつかることなく折りたためる。
（ロ）底壁を収納箱の外側から内側に押し、支柱１０ｅ、１１ｆを収納箱の内側に向けて押し込むという２段階で簡単に折りたためる。
（ハ）簡単に折りたためるので、輸送に場所を取らないため輸送コストが削減でき、売り場も場所を取らないため販売コストも削減できるなどの利点が多く、収納箱を安く消費者に提供できる。
（ニ）葦などの天然素材の他、厚手の多くの生地を使用できるので、装飾的に優れた収納箱を消費者に提供できる。
（ホ）支柱を使用するので、ダンボール箱などに比べて強度が増す。
（ヘ）消費者が本発明を購入しても、簡単に折りたためるので、持ち帰りやすくなる。
（ト）消費者が本発明を使用するときは、簡単に組み立てられる。
（チ）消費者が本発明を使用しないときは、簡単に折りたためられ、保存する場所も小さなスペースですむ。
【図面の簡単な説明】
【図１】本発明の底壁の枠組みを取り付けない状態の斜視図
【図２】本発明の枠組み１の斜視図
【図３】本発明の底壁の枠組みを取り付けた枠組み２の斜視図
【図４】本発明の枠組み３の斜視図
【図５】本発明の枠組み４の斜視図
【符号の説明】
１ａ、１ｂ、１ｃ、１ｄ  孔
２ａ、２ｂ、２ｃ、２ｄ  突起
３ａ、３ｂ、３ｃ、３ｄ  孔
４ａ、４ｂ、４ｃ、４ｄ  突起
５ａ、５ｂ、６ａ、６ｂ  雌ネジ部
１０ｅ、１０ｆ、１０ｇ、１０ｈ  支柱
１１ｅ、１１ｆ、１１ｇ、１１ｈ  支柱
１２ｅ、１２ｆ、１２ｇ、１２ｈ  支柱
１３ｅ、１３ｆ、１３ｇ、１３ｈ  支柱
１４ａ、１４ｂ、１４ｃ、１４ｄ  支柱
２０ａ、２０ｂ  突起
２１ａ、２１ｂ  筒
【図１】
2004217301.tif 000003
【図２】
2004217301.tif 000004
【図３】
2004217301.tif 000005
【図４】
2004217301.tif 000006
【図５】
2004217301.tif 000007